(57)【要約】      （修正有）【課題】ベルトを連結フックの通路につなぎやすくして、連結を容易にした連結フック及びその連結フックを利用した便座カバーを提供する。【解決手段】第１ベルト１３ａ用の第１通路３１と第２ベルト１３ｂ用の第２通路３２を有する基板を有する連結フックである。第１通路３１は閉じた貫通孔である。第２通路３２は、傾斜した切り込みにより形成されている。第１通路３１と第２通路３２は非平行であって、第１通路３１と第２通路３２の間隔は第２ベルト１３ｂ挿入側が非挿入側よりも狭まっていることを特徴とする。【選択図】図６
0003184992.tif 000002
【実用新案登録請求の範囲】
【請求項１】
第１ベルト（１３ａ）用の第１通路（３１）と第２ベルト（１３ｂ）用の第２通路（３２）を有する基板（３３）を有する連結フック（３）であって、
前記第１通路（３１）は閉じた貫通孔であり、
前記第２通路（３２）は、傾斜した切り込みにより形成されており、
前記第１通路（３１）と前記第２通路（３２）は非平行であって、前記第１通路（３１）と前記第２通路（３２）の間隔は前記第２ベルト（１３ｂ）挿入側が非挿入側よりも狭まっている
ことを特徴とする連結フック（３）。
【請求項２】
前記基板（３３）からまっすぐ下方に伸びている延長板（３４）をさらに有する請求項１記載の連結フック。
【請求項３】
前記第２通路（３２）の傾斜角度が１０度~２０度である請求項１又は２記載の連結フック。
【請求項４】
前記第２通路（３２）への入口コーナー（３７）が、前記第２通路（３２）の傾斜角度よりもさらに大きな傾斜角度を有する請求項１〜３のいずれかに記載の連結フック。
【請求項５】
請求項１〜４のいずれかに記載の連結フックを使用した便座カバー（１）。
【考案の詳細な説明】
【技術分野】
【０００１】
本考案は、２本の紐又はベルトを連結するのに用いる連結フックに関する。本考案は、もともと便座カバー用の連結フックとして開発したものであり、以下の説明もそれに基づいて行うが、同じような条件下に使用する他の用途にも用いることができる。
【背景技術】
【０００２】
従来、合成樹脂製の便座に直接座ったときの冷たい感触を避けるため便座を覆う形のカバーが用いられてきた。特に、昨今の節電意識の高まりにより、便座を温める代わりに、または設定温度を下げて、便座カバーを装着する人が増えているようである。
【０００３】
便座カバーにもさまざまなタイプがあるが、本考案の連結フックを使用するのはパイル編地の細長いシート状のものである。この便座カバーには幅方向の両端に雌雄のボタンやファスナー及び連結フックがそれぞれ取り付けられており、装着時にはこれらを係合させることにより、ほぼ筒状とするものである。
【０００４】
連結フックの従来技術としては、特開２００９―１１４８２、特開２００８―２１２４６２、特開２００６―３２５９５３、特開平１０―１７９４４９が参考となる。特に、形状的には、特開２００６―３２５９５３の図１（符号１５ｃ）及び特開平１０―１７９４４９の図５（符号７）が本考案に最も近いと思われる。
【先行技術文献】
【特許文献】
【０００５】
【特許文献１】特開２００９―１１４８２
【特許文献２】特開２００８―２１２４６２
【特許文献３】特開２００６―３２５９５３
【特許文献４】特開平１０―１７９４４９
【考案の概要】
【考案が解決しようとする課題】
【０００６】
上記従来技術は本考案と形状的に似ている。従来技術の問題点については、ここで説明するよりも本考案の詳細な説明の中で、本考案と比較しながら説明した方が分かりやすいと思われるので、そのようにする。
【０００７】
本考案は、ベルトを連結フックの通路につなぎやすくして、連結を容易にすることを目的とする。
【課題を解決するための手段】
【０００８】
本考案は、第１ベルト（１３ａ）用の第１通路（３１）と第２ベルト（１３ｂ）用の第２通路（３２）を有する基板（３３）を有する連結フックであって、前記第１通路（３１）は閉じた貫通孔であり、前記第２通路（３２）は、傾斜した切り込みにより形成されており、前記第１通路（３１）と前記第２通路（３２）が非平行であって、前記第１通路（３１）と前記第２通路（３２）の間隔が前記第２ベルト（１３ｂ）挿入側が非挿入側よりも狭まっていることを特徴とする（請求項１）
【０００９】
好ましくは、前記基板（３３）から下方に伸びている延長板（３４）をさらに有する（請求項２）。
【００１０】
好ましくは、前記第２通路（３２）の傾斜角度は１０度~２０度である（請求項３）。
【００１１】
さらに好ましくは、前記第２通路（３２）への入口コーナー（３７）は前記第２通路（３２）の傾斜角度よりもさらに大きな傾斜角度を有する（請求項４）。
【００１２】
前記したとおり、本考案は便座カバーに用いることができる（請求項５）。
【考案の効果】
【００１３】
請求項１記載の連結フックによれば、第２ベルトを第２通路に挿入するのは抜け止めのような障害物がないので極めて容易である。
【００１４】
請求項２記載の連結フックによれば、前記第１ベルトの不用意な移動を阻止することができるので、ベルトの位置が安定する。
【００１５】
請求項３及び４記載の連結フックによれば、第２ベルトを第２通路に挿入するもっとも好ましい実施態様が得られる。
【図面の簡単な説明】
【００１６】
【図１】本考案の１実施例の連結フックを使用する便座カバーの正面図である。
【図２】図１の便座カバーを便座に取り付ける直前の状態を示す正面図である。
【図３】図１の便座カバーを便座に取り付けた状態を示す正面図である。
【図４】本考案の１実施例の連結フックの（ａ）平面図、（ｂ）底面図、（ｃ）左側面図、（ｄ）正面図、（ｅ）右側面図、（ｆ）前記（ｄ）の矢視図である。
【図５】従来例の連結フックの（ａ）平面図、（ｂ）底面図、（ｃ）左側面図、（ｄ）正面図、（ｅ）右側面図、（ｆ）前記（ｄ）の矢視図である
【図６】（ａ）本考案と（ｂ）従来例を比較した正面図である。
【図７】（ａ）本考案と（ｂ）従来例を比較した断面図である。
【考案を実施するための形態】
【００１７】
図１、図２に示すように、この便座カバー１は、洋式便器の便座２の少なくとも上面を覆う長さと幅を有するカバー生地１１を有する。人体と接触する側は多数の立毛パイルを有するものとすることが好ましい。
【００１８】
カバー生地１１の長手方向両端は立毛パイルを有さない平面状の生地１２であり、便座２の支点側の肩部２１に固定するための第１、第２ベルト１３ａ，１３ｂと連結フック３が設けられている。第１、第２ベルト１３ａ，１３ｂはゴム紐その他弾力のある紐を使用している。
【００１９】
カバー生地１１の幅方向両端は、立毛パイルを有さない平面状の生地１４ａ，１４ｂであり、そこに雌ボタン１５および雄ボタン１６が複数個設けられている。生地の表側の雌ボタン１５はカバー生地１１の右端に取り付けられ、生地の裏側の雄ボタン１６はカバー生地１１の左端に取り付けられる。
【００２０】
雌雄ボタン１５，１６は、図２、３に示すように、便座裏の突起（リブ）２２を避けるようにして便座２の裏側で係合させる。また、連結フック３の爪が、二重となった係合相手の第１ベルト１３ａの環に通されることによって第１、第２ベルト同士１３ａ，１３ｂが連結される。
【００２１】
従来技術の連結フック４は概略、添付の図５に示すようなものである。主としてプラスチックにより成形され、全体は数字の「８」の字のような形状である。下側リング４１により第１ベルト１３ａ通過用の第１通路４２が、上側湾曲爪４３により第２ベルト１３ｂ通過用の第２通路４４が形成されている。下側リング４１を構成する下辺４５と上側湾曲爪４３を構成する上辺４６はほぼ平行である。
【００２２】
第１通路４２は閉じた貫通孔であるが、第２通路４４は湾曲爪４３の先端がわずかに開いた開口４７となっており、第２ベルト１３ｂはこの開口４７から矢印の方向に滑らせるようにようにして挿入される。２本のベルト１３ａ，１３ｂを取り付けた状態（図６（ｂ）参照）では、湾曲爪４３が第２ベルト１３ｂの抜け止めとなっている。
【００２３】
この従来技術の問題点は、第２ベルト１３ｂを湾曲爪４３先端の開口４７から入れにくいということである。居住空間と比べてトイレは照明を落としていることが多いこと、不自然な姿勢で作業を強いられることもあるが、なんといっても開口４７が小さく狭いことが主な理由である。
【００２４】
この問題を解決するため、本考案では図４に示すような連結フック３を使用する。第１ベルト１３ａ用の第１通路３１と第２ベルト１３ｂ用の第２通路３２を有する基板３３と、基板３３の下に突出する延長板３４からなる。プラスチックで射出成型するのが一般的であるが、必要な強度さえあれば材質は問わない。
【００２５】
第１通路３１は閉じた横長の貫通孔である。中央上部にふくらみ３５があるが、第１ベルト１３ａを設定しやすくしたものであり、本考案にとって必須ではない。
【００２６】
第２通路３２は、傾斜した上辺３６と平行に設けられた、傾斜した切り込みにより形成されている。この傾斜のために、第１通路３１と第２通路３２は平行ではなく、１０度~２０度の傾斜角度を有する。その結果、第１通路３１と第２通路３２の間隔は、前記第２ベルト１３ｂ挿入側が非挿入側よりも狭まっている。第２通路３２への入口コーナー３７は傾斜をきつくして第２ベルト１３ｂの挿入を容易にしている。
【００２７】
延長板３４は四角形の薄板であり、基板３３から下方向にまっすぐ伸びている。
【００２８】
本考案のフック３によれば、図６（ａ）に示すように、第２ベルト１３ｂを第２通路３２に挿入するのは障害物がないので極めて容易である。抜け止めがないので、第２ベルト１３ｂが抜けやすいのではないかと心配する人もいるかもしれない。しかし、弾力のある第１、第２ベルト１３ａ，１３ｂは互いに緊張して反対方向に引っ張られており、しかも抜ける方向と反対方向に傾斜があるので、まず抜けるおそれはない。
【００２９】
さらに本考案の連結フック３によれば、図７（ａ）に示すように、延長板３４が第１ベルト１３ａの不用意な移動（従来技術を示す図７（ｂ）参照）を阻止するので、ベルトの位置が安定する。
【符号の説明】
【００３０】
１     便座カバー
１１   カバー生地
１２   生地
１３ａ      ベルト
１３ｂ      ベルト
１４ａ，１４ｂ     立毛のない生地
１５ 雌ボタン
１６ 雄ボタン
２     便座
２１ 肩部
２２  リブ
３     連結フック（本考案）
３１ 第１通路
３２ 第２通路
３３ 基板
３４ 延長板
３６ 上辺
３７ 入口コーナー
４     連結フック（従来例）
４１ 下側リング
４２ 第１通路
４３ 湾曲爪
４４ 第２通路
４５ 下辺
４６ 上辺
４７ 開口
【図１】
0003184992.tif 000003
【図２】
0003184992.tif 000004
【図３】
0003184992.tif 000005
【図４】
0003184992.tif 000006
【図５】
0003184992.tif 000007
【図６】
0003184992.tif 000008
【図７】
0003184992.tif 000009